(57)【要約】      （修正有）【課題】開閉蓋が閉蓋状態である場合に可及的に気密性を維持し得、開閉蓋が閉じる際の音を可及的に抑制することができる区画開閉装置を提供する。【解決手段】区画体Ｂと開口部Ｃと周壁状部Ｄと開閉蓋Ｅを備える。区画体Ｂは、ごみ入れにおけるごみ投入部の前側部を構成し、ごみ入れにおけるごみ収容部と外部を区画する枠状をなす。開口部Ｃは、ごみ収容部と外部を連通する。周壁状部Ｄは、区画体Ｂのごみ収容部側において、開口部Ｃを外周縁に沿って囲繞する。周壁状部Ｄの先端側は軟質周壁部Ｄ１により構成され、基端側が硬質周壁部Ｄ２により構成され、隙間及び段差がない状態で一体状をなす。開閉蓋Ｅは、周壁状部Ｄの先端周縁部を開閉し得る横長長方形板状をなし、垂下して周壁状部Ｄの先端周縁部を閉じた閉状態と、下方側がごみ収容部側における上方に回動して周壁状部Ｄの先端周縁部を開いた開状態をとる。【選択図】図３
2015214427.tif 000002
【特許請求の範囲】
【請求項１】
第一部分と第二部分を区画する区画体と、
その区画体に設けられて前記第一部分と第二部分を連通し得る開口部と、
前記第二部分側において開口部を囲繞する周壁状部と、
その周壁状部の先端周縁部を開閉し得る開閉蓋を備えてなり、
前記周壁状部は、先端側が軟質周壁部により構成され、基端側が硬質周壁部により構成されており、
前記開閉蓋は、周壁状部の先端周縁部に接してその周壁状部の先端部を閉じた閉状態と、開口部及び周壁状部内部を通じて第一部分側から第二部分側へ押されることにより周壁状部の先端部を開いた開状態をとり得、開状態の開閉蓋には閉状態とする力が作用することを特徴とする区画開閉装置。
【請求項２】
周壁状部における先端側の軟質周壁部と基端側の硬質周壁部は、一体的に成形されたものである請求項記載の区画開閉装置。
【請求項３】
周壁状部における先端側の軟質周壁部と基端側の硬質周壁部が、両者の間に隙間及び段差がない状態で一体状をなす請求項１又は２記載の区画開閉装置。
【請求項４】
状態の開閉蓋に作用して開閉蓋を閉状態とするための力が、開閉蓋に作用する重力である請求項１乃至３の何れか１項に記載の区画開閉装置。
【請求項５】
開状態の開閉蓋に作用して開閉蓋を閉状態とするための力が、開閉蓋に直接又は間接に連携する弾性材による弾性力である請求項１乃至３の何れか１項に記載の区画開閉装置。
【請求項６】
第二部分が対象物収容部である請求項１乃至５の何れか１項に記載の区画開閉装置。
【発明の詳細な説明】
【技術分野】
【０００１】
本発明は、ごみ入れ、空き缶入れ、空き瓶入れ等の廃棄物用の容器若しくは収容部等に使用し得る区画開閉装置に関する。
【背景技術】
【０００２】
実開平５−１７０２号公報には、上部にゴミ投入口７が形成されたゴミ収納容器本体１に、ゴミ投入口７を開閉する開閉蓋５が回動可能に取付けられたゴミ収納容器１が開示されている。
【０００３】
このゴミ収納容器においては、ゴミ投入口が開閉蓋により開閉するが、開閉の際に生じる音、閉じた状態において漏出する内部のごみの臭気等が、周囲を煩わせる点があり、特に屋内使用においてこの点が顕著であった。
【先行技術文献】
【特許文献】
【０００４】
【特許文献１】実開平５−１７０２号公報
【発明の概要】
【発明が解決しようとする課題】
【０００５】
本発明は、従来技術に存した上記のような課題に鑑み行われたものであって、その目的とするところは、開閉蓋が閉蓋状態である場合に可及的に気密性を維持し得、開閉蓋が閉じる際の音を可及的に抑制することができる区画開閉装置を提供することにある。
【課題を解決するための手段】
【０００６】
(1) 上記課題を解決するための本発明の区画開閉装置は、
第一部分と第二部分を区画する区画体と、
その区画体に設けられて前記第一部分と第二部分を連通し得る開口部と、
前記第二部分側において開口部を囲繞する周壁状部と、
その周壁状部の先端周縁部を開閉し得る開閉蓋を備えてなり、
前記周壁状部は、先端側が軟質周壁部により構成され、基端側が硬質周壁部により構成されており、
前記開閉蓋は、周壁状部の先端周縁部に接してその周壁状部の先端部を閉じた閉状態と、開口部及び周壁状部内部を通じて第一部分側から第二部分側へ押されることにより周壁状部の先端部を開いた開状態をとり得、開状態の開閉蓋には閉状態とする力が作用することを特徴とする。
【０００７】
第一部分と第二部分を区画する区画体に設けられて第一部分と第二部分を連通し得る開口部を、第二部分側において囲繞する周壁状部の先端周縁部を、開閉蓋により開閉し得る。
【０００８】
開閉蓋は、周壁状部の先端周縁部に接してその周壁状部の先端部を閉じた閉状態と、開口部及び周壁状部内部を通じて第一部分側から第二部分側へ押されることにより周壁状部の先端部を開いた開状態をとり得る。開状態の開閉蓋には閉状態とする力が作用するので、開いた開閉蓋は自動的に閉じる。
【０００９】
周壁状部の先端側は軟質周壁部により構成されているので、開閉蓋が周壁状部の先端周縁部に接して閉じる場合に、閉じる際の音が抑制されると共に、閉じた状態における気密性が可及的に高まるため臭気が第二部分から第一部分へ漏出することが防がれ、その点において屋内使用に適する。また、周壁状部の先端側は軟質周壁部により構成されていることにより、第一部分側から第二部分側への操作において周壁状部の先端周縁部により操作者に怪我が発生することが防止される。
【００１０】
(2) 上記周壁状部における先端側の軟質周壁部と基端側の硬質周壁部は、一体的に成形されたものとすることができる。
【００１１】
この場合、周壁状部を一体成形により効率良く製造し得ると共に、先端側の軟質周壁部が、長期使用等により基端側の硬質周壁部から一部分離したり、脱落すること等が防がれる。
【００１２】
(3) 上記周壁状部における先端側の軟質周壁部と基端側の硬質周壁部は、両者の間に隙間及び段差がない状態で一体状をなすものとすることができる。
【００１３】
この場合、開口部及び周壁状部内部を通じて第一部分側から第二部分側へ物を送り込む場合に、周壁状部における先端側の軟質周壁部と基端側の硬質周壁部の間に、種々の物が引っかかったり挟まったりすること等が防がれる。
【００１４】
(4) 上記開状態の開閉蓋に作用して開閉蓋を閉状態とするための力は、開閉蓋に作用する重力であるものとすることができる。
【００１５】
(5) また上記開状態の開閉蓋に作用して開閉蓋を閉状態とするための力は、開閉蓋に直接又は間接に連携する弾性材による弾性力であるものとすることができる。
【００１６】
(6) 上記第二部分は、対象物収容部であるものとすることができる。
【発明の効果】
【００１７】
本発明の区画開閉装置によれば、周壁状部の先端側は軟質周壁部により構成されているので、開閉蓋が周壁状部の先端周縁部に接して閉じる場合に、閉じる際の音が抑制されると共に、閉じた状態における気密性が可及的に高まるため臭気が第二部分から第一部分へ漏出することが防がれ、その点において屋内使用に適する。また、周壁状部の先端側は軟質周壁部により構成されていることにより、第一部分側から第二部分側への操作において周壁状部の先端周縁部により操作者に怪我が発生することが防止される。
【図面の簡単な説明】
【００１８】
【図１】ごみ入れ用区画開閉装置の側面図である。
【図２】ごみ入れ用区画開閉装置の正面側斜視図である。
【図３】ごみ入れ用区画開閉装置の背面側斜視図である。
【図４】瓶・缶用区画開閉装置の側面図である。
【図５】瓶・缶用区画開閉装置の正面側斜視図である。
【図６】瓶・缶用区画開閉装置の背面側斜視図である。
【図７】ペットボトル用区画開閉装置の側面図である。
【図８】ペットボトル用区画開閉装置の正面側斜視図である。
【図９】ペットボトル用区画開閉装置の背面側斜視図である。
【発明を実施するための形態】
【００１９】
[1] 本発明の実施の形態を、図面を参照しつつ説明する。
【００２０】
(1) 図１乃至図３は本発明の実施の形態の一例としてのごみ入れ用の区画開閉装置についてのものである。
【００２１】
図１乃至図３に示すごみ入れ用の区画開閉装置は、合成樹脂製であり、区画体と開口部と周壁状部と開閉蓋を備える。
【００２２】
(1-1) 区画体
【００２３】
区画体Ｂは、ごみ入れＡ（要部を二点鎖線で示す）におけるごみ投入部の前側部を構成し、ごみ入れＡにおける内部、すなわちごみ収容部Ａ１（第二部分）と、外部Ｓ（第一部分）を区画する枠状をなす。
【００２４】
この区画体Ｂは、横長長方形状の平板における外周縁のほぼ一定幅内側に、横長長方形状の開口部Ｃを有する形状の枠状をなす。
【００２５】
区画体Ｂのごみ収容部Ａ１（第二部分）側の上下それぞれ複数箇所及び左右に、ごみ入れＡにおけるごみ投入部用の開口縁に係合して区画体Ｂをそれに対し固定するための係合突起部Ｙを有する。
【００２６】
(1-2) 開口部Ｃ
【００２７】
開口部Ｃは、区画体Ｂに横長長方形状に設けられたものであり、ごみ収容部Ａ１（第二部分）と外部Ｓ（第一部分）を連通している。
【００２８】
(1-3) 周壁状部Ｄ
【００２９】
周壁状部Ｄは、区画体Ｂのごみ収容部Ａ１（第二部分）側において、開口部Ｃを、その外周縁に沿って囲繞するものである。周壁状部Ｄは、開口部Ｃのごみ収容部Ａ１（第二部分）側の外周縁から、区画体Ｂに対し垂直状に一定高さに立ち上げられてなる。
【００３０】
周壁状部Ｄの先端側は、全周にわたり先端から一定の立ち上げ方向寸法部分が軟質周壁部Ｄ１（熱可塑性エラストマー）により構成され、基端側が硬質周壁部Ｄ２（硬質熱可塑性合成樹脂）により構成されている。周壁状部Ｄにおける先端側の軟質周壁部Ｄ１と基端側の硬質周壁部Ｄ２は、両者の間に隙間及び段差がない状態で一体状をなす。区画開閉装置の他の部分は硬質熱可塑性合成樹脂製である。
【００３１】
この例の区画体Ｂと周壁部は、一体状をなし、一体成形される。
【００３２】
(1-4) 開閉蓋Ｅ
【００３３】
開閉蓋Ｅは、周壁状部Ｄの先端周縁部を開閉し得る横長長方形板状をなし、周壁状部Ｄの先端周縁部を閉じた状態において垂直状をなす。開閉蓋Ｅは、その両側部上方に突設された一対の被支持部Ｗにおいて、周壁状部Ｄの上側の両端側に設けられた一対の支持部Ｘにより、水平方向軸線の回りに回動自在に支持され、垂下して周壁状部Ｄの先端周縁部を閉じた閉状態と、下方側がごみ収容部Ａ１（第二部分）側における上方に回動して周壁状部Ｄの先端周縁部を開いた開状態をとり得る。
【００３４】
閉状態では、開閉蓋Ｅの正面側と、軟質周壁部Ｄ１により構成された周壁状部Ｄの先端側との気密性が、可及的に維持され、ごみ収容部Ａ１（第二部分）側に収容したごみの臭気等が外部Ｓ（第一部分）へ漏出することが防がれる。
【００３５】
閉状態において、開口部Ｃ及び周壁状部Ｄ内部を通じて外部Ｓ（第一部分）からごみ収容部Ａ１（第二部分）へごみ等を投入する際に、開閉蓋Ｅが押されることにより周壁状部Ｄの先端部を開いた開状態をとり得る。
【００３６】
開状態の開閉蓋Ｅは、重心位置が閉状態よりも上昇するため、開状態を維持する力が解除されると自重により開閉蓋Ｅが閉じることとなる。周壁状部Ｄの先端側が軟質周壁部Ｄ１により構成されているため、開閉蓋Ｅが閉じる際の音が抑制される。また、周壁状部Ｄの先端側は軟質周壁部Ｄ１により構成されていることにより、外部Ｓ（第一部分）からごみ収容部Ａ１（第二部分）へごみ等を投入する際に、周壁状部Ｄの先端周縁部により操作者に怪我が発生することが防止される。
【００３７】
(2) 図４乃至図６は本発明の実施の形態の別の一例としての瓶・缶用区画開閉装置についてのものである。
【００３８】
図４乃至図６に示す瓶・缶用区画開閉装置は、合成樹脂製であり、区画体Ｉと開口部Ｊと周壁状部Ｋと開閉蓋Ｌを備える。
【００３９】
(2-1) 区画体
【００４０】
区画体Ｉは、瓶・缶入れＨ（要部を二点鎖線で示す）における瓶・缶投入部の前側部を構成し、瓶・缶入れＨにおける内部、すなわち瓶・缶収容部Ｈ１（第二部分）と、外部Ｓ（第一部分）を区画する枠状をなす。
【００４１】
この区画体Ｉは、横長長方形状の平板における左右二箇所に同一の円形状（同一形状に限らない）をなす開口部Ｊを有する枠状をなす。
【００４２】
区画体Ｉの瓶・缶収容部Ｈ１（第二部分）側の上下それぞれ複数箇所及び左右に、瓶・缶入れＨにおける瓶・缶投入部用の開口縁に係合して区画体Ｉをそれに対し固定するための係合突起部Ｙを有する。
【００４３】
(2-2) 開口部Ｊ
【００４４】
開口部Ｊは、区画体Ｉの左右二箇所に同一の円形状に設けられたものであり、瓶・缶収容部Ｈ１（第二部分）と外部Ｓ（第一部分）を連通している。両開口部Ｊは、例えば瓶用と缶用に分別するものとすることもできる。
【００４５】
(2-3) 周壁状部
【００４６】
各周壁状部Ｋは、区画体Ｉの瓶・缶収容部Ｈ１（第二部分）側において、各開口部Ｊを、その外周縁に沿って囲繞するものである。周壁状部Ｋは、開口部Ｊの瓶・缶収容部Ｈ１（第二部分）側の外周縁から、区画体Ｉに対し垂直状に一定高さに立ち上げられてなる。
【００４７】
周壁状部Ｋの先端側は、全周にわたり先端から一定の立ち上げ方向寸法部分が軟質周壁部Ｋ１（熱可塑性エラストマー）により構成され、基端側が硬質周壁部Ｋ２（硬質熱可塑性合成樹脂）により構成されている。周壁状部Ｋにおける先端側の軟質周壁部Ｋ１と基端側の硬質周壁部Ｋ２は、両者の間に隙間及び段差がない状態で一体状をなす。区画開閉装置の他の部分は硬質熱可塑性合成樹脂製である。
【００４８】
この例の区画体Ｉと周壁部は、一体状をなし、一体成形される。
【００４９】
(2-4) 開閉蓋
【００５０】
開閉蓋Ｌは、各周壁状部Ｋの先端周縁部を同時に開閉し得る１枚の横長長方形板状をなし、周壁状部Ｋの先端周縁部を閉じた状態において垂直状をなす。開閉蓋Ｌは、その両側部上方に突設された一対の被支持部Ｗにおいて、両周壁状部Ｋの上側にそれぞれ設けられた一対の支持部Ｘにより、水平方向軸線の回りに回動自在に支持され、垂下して両周壁状部Ｋの先端周縁部を同時に閉じた閉状態と、下方側が瓶・缶収容部Ｈ１（第二部分）側における上方に回動して両周壁状部Ｋの先端周縁部を開いた開状態をとり得る。
【００５１】
閉状態では、開閉蓋Ｌの正面側と、軟質周壁部Ｋ１により構成された両周壁状部Ｋの先端側との気密性が、可及的に維持され、瓶・缶収容部Ｈ１（第二部分）側に収容した瓶・缶の臭気等が外部Ｓ（第一部分）へ漏出することが防がれる。
【００５２】
閉状態において、開口部Ｊ及び周壁状部Ｋ内部を通じて外部Ｓ（第一部分）から瓶・缶収容部Ｈ１（第二部分）へ瓶・缶等を投入する際に、開閉蓋Ｌが押されることにより周壁状部Ｋの先端部を開いた開状態をとり得る。
【００５３】
開状態の開閉蓋Ｌは、重心位置が閉状態よりも上昇するため、開状態を維持する力が解除されると自重により開閉蓋Ｌが閉じることとなる。周壁状部Ｋの先端側が軟質周壁部Ｋ１により構成されているため、開閉蓋Ｌが閉じる際の音が抑制される。また、周壁状部Ｋの先端側は軟質周壁部Ｋ１により構成されていることにより、外部Ｓ（第一部分）から瓶・缶収容部Ｈ１（第二部分）へ瓶・缶等を投入する際に、周壁状部Ｋの先端周縁部により操作者に怪我が発生することが防止される。
【００５４】
(3) 図７乃至図９は本発明の実施の形態の別の一例としてのペットボトル用区画開閉装置についてのものである。
【００５５】
図７乃至図９に示すペットボトル用区画開閉装置は、合成樹脂製であり、区画体Ｏと開口部と周壁状部と開閉蓋Ｒを備える。
【００５６】
(3-1) 区画体
【００５７】
区画体Ｏは、ペットボトル入れＮ（要部を二点鎖線で示す）におけるペットボトル投入部の前側部を構成し、ペットボトル入れＮにおける内部、すなわちペットボトル・蓋収容部Ｎ１（第二部分）と、外部Ｓ（第一部分）を区画する枠状をなす。
【００５８】
この区画体Ｏは、横長長方形状の平板における左右二箇所に、それぞれ円形状開口部Ｐ１と正方形状開口部Ｐ２を有する枠状をなす。
【００５９】
区画体Ｏのペットボトル・蓋収容部Ｎ１（第二部分）側の上下それぞれ複数箇所及び左右に、ペットボトル入れＮにおけるペットボトル投入部用の開口縁に係合して区画体Ｏをそれに対し固定するための係合突起部Ｙを有する。
【００６０】
(3-2) 開口部
【００６１】
区画体Ｏの左右二箇所に、それぞれ円形状開口部Ｐ１及び正方形状開口部Ｐ２が設けられており、それらがペットボトル・蓋収容部Ｎ１（第二部分）と外部Ｓ（第一部分）を連通している。円形状開口部Ｐ１はペットボトルの蓋を本体と分離して投入するためのものであり、正方形状開口部Ｐ２はペットボトルの本体を投入するためのものである。ペットボトル・蓋収容部Ｎ１（第二部分）は、円形状開口部Ｐ１と正方形状開口部Ｐ２にそれぞれ投入されたものを別個に収容し得るよう分割されている（図示せず）。
【００６２】
(3-3) 周壁状部
【００６３】
区画体Ｏのペットボトル・蓋収容部Ｎ１（第二部分）側において、円形状開口部Ｐ１及び正方形状開口部Ｐ２は、それぞれその外周縁に沿って周壁状部Ｑａ及び周壁状部Ｑｂにより囲繞されている。周壁状部Ｑａは、円形状開口部Ｐ１のペットボトル・蓋収容部Ｎ１（第二部分）側の外周縁から、区画体Ｏに対し湾曲凸部（正面側から見れば湾曲凹部）を形成するように立ち上げられてなり、周壁状部Ｑａの先端部は、やや下方に位置し、円形状開口部Ｐ１に比し縮径された円形状に開口する。
【００６４】
周壁状部Ｑｂは、正方形状開口部Ｐ２のペットボトル・蓋収容部Ｎ１（第二部分）側の外周縁から、区画体Ｏに対し垂直状に一定高さに立ち上げられている。
【００６５】
周壁状部Ｑａ及び周壁状部Ｑｂの先端側は、全周にわたり先端から一定の立ち上げ方向寸法部分が軟質周壁部Ｑａ１及びＱｂ１（熱可塑性エラストマー）により構成され、基端側が硬質周壁部Ｑａ２・Ｑｂ２（硬質熱可塑性合成樹脂）により構成されている。周壁状部Ｑａ及び周壁状部Ｑｂにおける先端側の軟質周壁部Ｑａ１及びＱｂ１と基端側の硬質周壁部Ｑａ２・Ｑｂ２は、それぞれ、両者の間に隙間及び段差がない状態で一体状をなす。区画開閉装置の他の部分は硬質熱可塑性合成樹脂製である。
【００６６】
この例の区画体Ｏと周壁状部Ｑａ及び周壁状部Ｑｂは、一体状をなし、一体成形される。
【００６７】
(3-4) 開閉蓋
【００６８】
開閉蓋Ｒは、周壁状部Ｑａ及び周壁状部Ｑｂの両先端周縁部を同時に開閉し得る１枚の横長長方形板状をなし、周壁状部Ｑａ及び周壁状部Ｑｂの先端周縁部を閉じた状態において垂直状をなす。開閉蓋Ｒは、その両側部上方に突設された一対の被支持部Ｗにおいて、周壁状部Ｑａ及び周壁状部Ｑｂの上側にそれぞれ設けられた一対の支持部Ｘにより、水平方向軸線の回りに回動自在に支持され、垂下して周壁状部Ｑａ及び周壁状部Ｑｂの両先端周縁部を同時に閉じた閉状態と、下方側がペットボトル・蓋収容部Ｎ１（第二部分）側における上方に回動して周壁状部Ｑａ及び周壁状部Ｑｂの両先端周縁部を開いた開状態をとり得る。
【００６９】
閉状態では、開閉蓋Ｒの正面側と、軟質周壁部Ｑａ１及びＱｂ１により構成された周壁状部Ｑａ及び周壁状部Ｑｂの先端側との気密性が、可及的に維持され、ペットボトル・蓋収容部Ｎ１（第二部分）側に収容したペットボトルの臭気等が外部Ｓ（第一部分）へ漏出することが防がれる。
【００７０】
閉状態において、円形状開口部Ｐ１及び正方形状開口部Ｐ２並びに及び周壁状部Ｑａ及び周壁状部Ｑｂの内部を通じて外部Ｓ（第一部分）からペットボトル・蓋収容部Ｎ１（第二部分）へペットボトルや蓋等を投入する際に、開閉蓋Ｒが押されることにより周壁状部Ｑａ及び周壁状部Ｑｂの先端部を開いた開状態をとり得る。
【００７１】
開状態の開閉蓋Ｒは、重心位置が閉状態よりも上昇するため、開状態を維持する力が解除されると自重により開閉蓋Ｒが閉じることとなる。周壁状部Ｑａ及び周壁状部Ｑｂの先端側が軟質周壁部Ｑａ１及びＱｂ１により構成されているため、開閉蓋Ｒが閉じる際の音が抑制される。また、周壁状部Ｑａ及び周壁状部Ｑｂの先端側が軟質周壁部Ｑａ１及びＱｂ１により構成されていることにより、外部Ｓ（第一部分）からペットボトル・蓋収容部Ｎ１（第二部分）へペットボトルや蓋等を投入する際に、周壁状部Ｑａ及び周壁状部Ｑｂの先端周縁部により操作者に怪我が発生することが防止される。
【００７２】
[2] 本発明の実施の形態を、上記以外の形態を含めて更に説明する。
【００７３】
本発明の区画開閉装置は、区画体と開口部と周壁状部と開閉蓋を備えてなる。本発明の区画開閉装置は、例えば、合成樹脂、金属、その他の材料のうち、何れか１又は２以上により構成されたものとすることができる。
【００７４】
(1) 区画体
【００７５】
区画体は、第一部分と第二部分を区画するものであり、例えば、壁状体、板状体、枠状体等とすることができる。
【００７６】
第一部分と第二部分は、例えば、各種の物の容器における外部（第一部分）と内部（第二部分）、又は、各種の物を収容する対象物収容部（第二部分）と、その対象物収容部の外部（第一部分）とすることができる。容器若しくは収容部の好適な例としては、ごみ入れ、空き缶入れ、空き瓶入れ等の廃棄物用の容器若しくは収容部を挙げることができるが、これに限らない。
【００７７】
(2) 開口部
【００７８】
開口部は、区画体に設けられて第一部分と第二部分を連通し得る。開口部の断面形状は、例えば、円形状、楕円形状、長方形状、正方形状、その他の多角形状等とすることができる。開口部は、例えば、枠状部や筒状部の内部に形成することができる。
【００７９】
(3) 周壁状部
【００８０】
周壁状部は、第二部分側において開口部を囲繞するものであり、先端側が軟質周壁部（例えば軟質合成樹脂、熱可塑性エラストマー、合成ゴム）により構成され、基端側が硬質周壁部（例えば硬質合成樹脂）により構成されている。軟質周壁部は、全周にわたり周壁状部の先端から一定寸法とすることが好ましいが、これに限るものではない。区画開閉装置の他の部分は例えば、硬質周壁部と同じ材料からなるものとすることができるが、これに限るものではない。
【００８１】
周壁状部における先端側の軟質周壁部と基端側の硬質周壁部は、一体的に成形されたものであることが好ましい。
【００８２】
周壁状部における先端側の軟質周壁部と基端側の硬質周壁部が、両者の間に隙間及び段差がない状態で一体状をなすものとすることができる。
【００８３】
また、周壁状部は、開口部を形成する枠状部や筒状部等と一体をなすものとすることができる。
【００８４】
(4) 開閉蓋
【００８５】
開閉蓋は、周壁状部の先端周縁部を開閉し得るものであり、周壁状部の先端周縁部を閉じる上で必要な形状とすることができる。そのような形状の例としては、円形状、楕円形状、長方形状、正方形状、その他の多角形状の平板状若しくは湾曲板状又は椀形状を挙げることができる。
【００８６】
開閉蓋は、周壁状部の先端周縁部に接してその周壁状部の先端部を閉じた閉状態と、開口部及び周壁状部内部を通じて第一部分側から第二部分側へ押されることにより周壁状部の先端部を開いた開状態をとり得る。
【００８７】
開状態の開閉蓋には、閉状態とする力が作用する。
【００８８】
開状態の開閉蓋に作用して開閉蓋を閉状態とするための力は、重力とすることができる。例えば、開閉蓋自体に作用する重力、すなわち、開閉蓋の重心位置が閉状態から開状態となることにより上昇し、開状態を維持する力が解除されると自重により開閉蓋が閉じるものとすることができる。或いは例えば、開閉蓋に連携した錘に作用する重力、すなわち、開閉蓋が閉状態から開状態となることにより、開閉蓋にワイヤ又はその他の連携部材を介して連携した錘が上昇し、開状態を維持する力が解除されると錘が自重により下降して開閉蓋が閉じるものとすることができる。
【００８９】
また、開状態の開閉蓋に作用して開閉蓋を閉状態とするための力が、開閉蓋に直接又は間接に連携する弾性材による弾性力であるものとすることができる。例えば、開閉蓋がねじりコイルばねの弾性力を直接受けて開状態から閉状態に付勢されるもの、或いは、開閉蓋にワイヤ又はその他の連携部材を介して連携した引っ張りコイルばねの弾性力により開状態から閉状態に付勢されるものとすることができる。
【符号の説明】
【００９０】
Ａ      ごみ入れ
Ａ１    ごみ収容部
Ｂ      区画体
Ｃ      開口部
Ｄ      周壁状部
Ｄ１    軟質周壁部
Ｄ２    硬質周壁部
Ｅ      開閉蓋
Ｈ      瓶・缶入れ
Ｈ１    瓶・缶収容部
Ｉ      区画体
Ｊ      開口部
Ｋ      周壁状部
Ｋ１    軟質周壁部
Ｋ２    硬質周壁部
Ｌ      開閉蓋
Ｎ      ペットボトル入れ
Ｎ１    ペットボトル・蓋収容部
Ｏ      区画体
Ｐ１    円形状開口部
Ｐ２    正方形状開口部
Ｑａ    周壁状部
Ｑａ１  軟質周壁部
Ｑａ２  硬質周壁部
Ｑｂ    周壁状部
Ｑｂ１  軟質周壁部
Ｑｂ２  硬質周壁部
Ｒ      開閉蓋
Ｓ      外部
Ｗ      被支持部
Ｘ      支持部
Ｙ      係合突起部
【図１】
2015214427.tif 000003
【図２】
2015214427.tif 000004
【図３】
2015214427.tif 000005
【図４】
2015214427.tif 000006
【図５】
2015214427.tif 000007
【図６】
2015214427.tif 000008
【図７】
2015214427.tif 000009
【図８】
2015214427.tif 000010
【図９】
2015214427.tif 000011
【手続補正書】
【提出日】平成27年7月10日(2015.7.10)
【手続補正１】
【補正対象書類名】特許請求の範囲
【補正対象項目名】請求項２
【補正方法】変更
【補正の内容】
【請求項２】
周壁状部における先端側の軟質周壁部と基端側の硬質周壁部は、一体的に成形されたものである請求項１記載の区画開閉装置。
【手続補正２】
【補正対象書類名】特許請求の範囲
【補正対象項目名】請求項４
【補正方法】変更
【補正の内容】
【請求項４】
開状態の開閉蓋に作用して開閉蓋を閉状態とするための力が、開閉蓋に作用する重力である請求項１乃至３の何れか１項に記載の区画開閉装置。
【手続補正３】
【補正対象書類名】図面
【補正対象項目名】図１
【補正方法】変更
【補正の内容】
【図１】
2015214427.tif 000012
【手続補正４】
【補正対象書類名】図面
【補正対象項目名】図４
【補正方法】変更
【補正の内容】
【図４】
2015214427.tif 000013